(57)【要約】      （修正有）【課題】１つのデヴァイスから手軽に簡単に複数人または多人数が同時に音源を共有できるようにする多人数用４つ耳イヤフォンを提供する。【解決手段】音声を再生する装置に接続可能な接続端子を有する、３回線に分配可能な増幅器を含む装置からなり、３回線に配線された回線のうち２回線は、それぞれ直接ケーブルとして伸び、残りの１回線は、電気機器の接続端子が接続可能な接続機器を持ち、２本のケーブルは、それぞれ２股に別れ、末端にはイヤフォン装置が予め４つを付随させて多人数用４つ耳イヤフォンを形成する。【選択図】図１
0003177174.tif 000002
【実用新案登録請求の範囲】
【請求項１】
音声を再生する装置に接続可能な接続端子を有する、３回線に分配可能な増幅器を含む装置からなり、３回線に配線された回線のうち２回線は、それぞれ直接ケーブルとして伸び、残りの１回線は本考案、並びに他の接続端子が接続可能な接続機器を持ち、２本のケーブルはそれぞれ２股に別れ末端には、イヤフォン装置が予め４つが付随する事を特徴とする、１〜多人数用４つ耳イヤフォン
【請求項２】
社会の様々なニーズに応じて回線は光回線に成り得る、ケーブルの接続部分は角度可変式となり、ケーブル自体も１本、または２本の長さ調節可能、４つのイヤフォン部分に関しても電源スイッチやヴォリュームスイッチが、それぞれ付随可能、また色分け等で機能を目で判別でき、１〜多人数用４つ耳イヤフォンを複数台同時使用する事により、より手軽に、簡単に多人数が同時使用可能になるなど、ニーズ・使用目的に合わせて機能を追加することができる１〜多人数用４つ耳イヤフォン
【考案の詳細な説明】
【技術分野】
【０００１】本考案は、一人または複数の人間が１つの音源を手軽に簡単に共有する為に考案された１〜多人数用４つ耳イヤフォンに関するものである。
【背景技術】
【０００２】テクノロジーの発達と共に、コンピューター・インターネット関連のデヴァイスの発達は近年目を見張るものがある。しかし公共の場等での使用については制限がありそのデヴァイスと、人とをつなぐものとして、複数人で使用の際は既存の複数人用イヤフォンでは実用的では無かった為、一人用イヤフォンを使うしか無かった。
よって、孤独感というものが現代社会の問題としてはびこっているのも事実である。
本考案は、この解決策にもなる可能性がある。今まで、１つの音源・映像源などから手軽に複数人または多人数が公共の場所などにおいて、同時に共有できるアイテムは無かったと言える。したがって本考案は人と人との繋がりを強め、新しい価値観を生み出すものと思われる。
【先行技術文献】
【特許文献】
【０００３】
【特許文献１】特開２００７−９７００６（Ｐ２００７−９７００６Ａ）
【非特許文献】
【０００４】
【非特許文献１】実開平６−３８３９４
【非特許文献２】実用新案登録第３１３６２３４号（Ｕ３１３６２３４）
【考案の概要】
【考案が解決しようとする課題】
【０００５】現代社会においてコミュニケーションのとり方がめまぐるしく変わる中で孤独世帯が増えているのは否めない。また金銭的、時間的厳しさから複数人世帯においても孤独感が生じているケースも少なくない。現在増えつつある３人世帯の中で乳幼児を持つ家庭においては音を満足に出すこともままならない。このようにテクノロジーの発達と共に人対人のコミュニケーションの機会が減ってきている現代において身近な人間関係の改善・強化を目指す。【０００６】現代社会においてハイテクノロジー製品は生活必需品である。よって本考案を製品化することにより新しいコミュニケーションの形を提供することができる。この事により会話や笑顔が生まれ、記憶の共有など現代社会の新しいニーズを掘り起こす事が想定される為、節電の為など、世の中から新しい必需品として受け入れられるのは時間の問題である。
また多くの人達に受け入れられるものとして簡単かつ安全である必要がある。
その為、使用上の注意事項や禁止事項などを含むマニュアルなどを添付し、本考案の
存在意義の理解を促すことが重要である。
【課題を解決するための手段】
【０００７】本考案は上記した目的を達成するため、配線の無駄を省き、予め４つのイヤフォンかつ、本考案、または別のイヤフォン接続端子を接続可能な接続端子を有する事を特徴とし、特に専門知識も不要なまま、手軽に簡単に音源を同時に複数人から多人数、または一人の時でも楽しめる、見た目もスマートな１〜多人数用４つ耳イヤフォン
【考案の効果】
【０００８】本考案が世に浸透した際には、新しい形での複数人コミュニケーションが成り立つ。よって、公共の場などでは当事者達のみが音源を共有できる手軽なコミュニケーションツールとして重宝され、多くの方々から愛される物と成り得る。また非公共の場においても家族や友人間において無関係な人々を巻き込まずに複数人で音源を楽しむことができるなど多くの効果が予想される。また、業界においても、既に存在するデヴァイス等でも使用可能であり、本考案による影響で新しいシステムを持つデヴァイスが誕生するなど、テクノロジー界にも多大な影響を与えることが予想される。本考案は現状にも変化にも対応できるコミュニケーションツールとなり、世の中の様々な業界に広く影響を与えると考えられる。
【図面の簡単な説明】
【０００９】
【図１】本考案の実施の形態における１〜多人数用４つ耳イヤフォンを示す図である。
【図２】本考案の多機能追加版を示す図である
【考案を実施するための形態】
【００１０】図１は本考案９９、１〜多人数用４つ耳イヤフォンの実施の形態を示す図である。本考案９９は１の接続端子を有する２の増幅器を含む回路装置からなり、２の回路装置は２本のケーブル４と、本考案９９、または他のイヤフォンなどの接続端子９が接続可能な３の接続機器からなる。２本のケーブルの先には予め５、６、７、８の４つのイヤフォンが備えつけられており、接続可能な音源を有するデヴァイス１０と本考案のみで
手軽に複数人が同時使用可能な事を特徴とする１〜多人数用４つ耳イヤフォン。
【実施例】
【００１１】家庭において家族、友人達と音源、映像源、などから１〜多人数用４つ耳イヤフォンを実施。【００１２】業務上、または会議、教育の際などで音源、映像源などから共有したい場合に実施【００１３】サービス業、飲食店など公共の場において、音源、映像源などを共有したい場合などに実施【００１４】複数人からなる集団において同時に１つの音源、映像減を共有する為に実施【００１５】音源、映像源を一人で楽しみたいときに実施【００１６】電力消費の節約を目的として実施
【産業上の利用可能性】
【００１７】単独販売【００１８】ゲーム業界やサービス業界などにおいて多人数用の新しいツールとして【００１９】教育関係業界において便利なツールとして【００２０】生活必需品、生活電化製品として【００２１】業務上において必要、便利品として【００２２】車業界においてサウンドシステムに対して新しいアプローチ法として・【００２３】男女間、友人間、家族間においての新しいコミュニケーションツールとして【００２４】チーム間において確認の為のツールとして【００２５】旅客業界において経費削減、顧客満足向上の為のツールとして【００２６】ギネスブックなどに新しい価値観を与えるツールとして【００２７】電力消費の節約において国家レベルでの実用ツールとして
【符号の説明】
【００２８】（図１）
９９  １〜多人数用４つ耳イヤフォン
１  接続端子
２  増幅器を含む回路装置
３  接続機器
４  ケーブル
５  イヤフォン
６  イヤフォン
７  イヤフォン
８  イヤフォン
９  本考案の１または別のイヤフォン接続端子
１０  音源を含むデヴァイス
（図２）
９９  １〜多人数用４つ耳イヤフォン
１  接続端子
２  増幅器を含む回路装置
３  接続機器
４’伸縮可能機能装置付きコード
５’可変抵抗器、増幅器を回路に含む、電源スイッチまたは音量調整装置付き色分け可能イヤフォン
６’可変抵抗器、増幅器を回路に含む、電源スイッチまたは音量調整装置付き色分け可能イヤフォン
７’可変抵抗器、増幅器を回路に含む、電源スイッチまたは音量調整装置付き色分け可能イヤフォン
８’可変抵抗器、増幅器を回路に含む、電源スイッチまたは音量調整装置付き色分け可能イヤフォン
１１  角度可変機能装置
【図１】
0003177174.tif 000003
【図２】
0003177174.tif 000004
【手続補正書】
【提出日】平成24年3月22日(2012.3.22)
【手続補正１】
【補正対象書類名】明細書
【補正対象項目名】全文
【補正方法】変更
【補正の内容】
【考案の詳細な説明】
【技術分野】
【０００１】本考案は、一人または複数の人間が１つの音源を手軽に簡単に共有する為に考案された１〜多人数用４つ耳イヤフォンに関するものである。
【背景技術】
【０００２】テクノロジーの発達と共に、コンピューター・インターネット関連のデヴァイスの発達は近年目を見張るものがある。しかし公共の場等での使用については制限がありそのデヴァイスと、人とをつなぐものとして、複数人で使用の際は既存の複数人用イヤフォンでは実用的では無かった為、一人用イヤフォンを使うしか無かった。よって、孤独感というものが現代社会の問題として、はびこっているのも事実である。
本考案は、この解決策にもなる可能性がある。今まで、１つの音源・映像源などから手軽に複数人または多人数が公共の場所などにおいて、同時に共有できるアイテムは乏しかったと言える。したがって本考案は人と人との繋がりを強め、新しい価値観を生み出すものと思われる。
【先行技術文献】
【特許文献】
【０００３】
【特許文献１】特開２００７−９７００６（Ｐ２００７−９７００６Ａ）
【非特許文献】
【０００４】
【非特許文献１】実開平６−３８３９４
【非特許文献２】実用新案登録第３１３６２３４号（Ｕ３１３６２３４）
【考案の概要】
【考案が解決しようとする課題】
【０００５】現代社会においてコミュニケーションのとり方が、めまぐるしく変わる中で孤独世帯が増えているのは否めない。また金銭的、時間的厳しさから複数人世帯においても孤独感が生じているケースも少なくない。現在増えつつある３人世帯の中で乳幼児を持つ家庭においては音を満足に出すこともままならない。このようにテクノロジーの発達と共に人対人のコミュニケーションの機会が減ってきている現代において身近な人間関係の改善・強化を目指す。【０００６】現代社会においてハイテクノロジー製品は生活必需品である。よって本考案を製品化することにより新しいコミュニケーションの形を提供することができる。この事により会話や笑顔が生まれ、記憶の共有など現代社会の新しいニーズを掘り起こす事が想定される為、節電の為など、世の中から新しい必需品として受け入れられるのは時間の問題である。
また多くの人達に受け入れられるものとして簡単かつ安全である必要がある。その為、使用上の注意事項や禁止事項などを含むマニュアルなどを添付し、本考案の存在意義の理解を促すことが重要である。
【課題を解決するための手段】
【０００７】本考案は上記した目的を達成するため、配線の無駄を省き、予め４つのイヤフォンかつ、本考案、または別のイヤフォン接続端子を接続可能な接続端子を有する事を特徴とし、特に専門知識も不要なまま、手軽に簡単に音源を同時に複数人から多人数、または一人の時でも楽しめる、見た目もスマートな１〜多人数用４つ耳イヤフォン
【考案の効果】
【０００８】本考案が世に浸透した際には、新しい形での複数人コミュニケーションが成り立つ。よって、公共の場などでは当事者達のみが音源を共有できる手軽なコミュニケーションツールとして重宝され、多くの方々から愛される物と成り得る。また非公共の場においても家族や友人間において無関係な人々を巻き込まずに複数人で音源を楽しむことができるなど多くの効果が予想される。また、業界においても、既に存在するデヴァイス等でも使用可能であり、本考案による影響で新しいシステムを持つデヴァイスが誕生するなど、テクノロジー界にも多大な影響を与えることが予想される。本考案は現状にも変化にも対応できるコミュニケーションツールとなり、世の中の様々な業界に広く影響を与えると考えられる。
【図面の簡単な説明】
【０００９】
【図１】本考案の実施の形態における１〜多人数用４つ耳イヤフォンを示す図である。
【図２】本考案の多機能追加版を示す図である。
【考案を実施するための形態】
【００１０】図１は本考案９９、１〜多人数用４つ耳イヤフォンの実施の形態を示す図である。本考案９９は１の接続端子を有する２の増幅器を含む回路装置からなり、２の回路装置は２本のケーブル４と、本考案９９、または他のイヤフォンなどの接続端子９が接続可能な３の接続機器からなる。２本のケーブルの先には予め５、６、７、８の４つのイヤフォンが備えつけられており、接続可能な音源を有するデヴァイス１０と本考案のみで手軽に複数人が同時使用可能な事を特徴とする１〜多人数用４つ耳イヤフォン。
【実施例】
【００１１】家庭において家族、友人達と音源、映像源、などから１〜多人数用４つ耳イヤフォンを実施。【００１２】業務上、または会議、教育の際などで音源、映像源などから共有したい場合に実施【００１３】サービス業、飲食店など公共の場において、音源、映像源などを共有したい場合などに実施【００１４】複数人からなる集団において同時に１つの音源、映像源を共有する為に実施【００１５】音源、映像源を一人で楽しみたいときに実施【００１６】電力消費の節約を目的として実施
【産業上の利用可能性】
【００１７】単独販売【００１８】ゲーム業界やサービス業界などにおいて多人数用の新しいツールとして【００１９】教育関係業界において便利なツールとして【００２０】生活必需品、生活電化製品として【００２１】業務上において必要、便利品として【００２２】車業界においてサウンドシステムに対して新しいアプローチ法として・【００２３】男女間、友人間、家族間においての新しいコミュニケーションツールとして【００２４】チーム間において確認の為のツールとして【００２５】旅客業界において経費削減、顧客満足向上の為のツールとして【００２６】ギネスブックなどに新しい価値観を与えるツールとして【００２７】電力消費の節約において国家レベルでの実用ツールとして【００２８】異人種間、異国籍間、異民族間において親善目的の為のツールとして【００２９】異性愛者間、同性愛者間において親善目的の為のツールとして【００３０】双生児など複数生児以上の共有の為のツールとして
【符号の説明】
【００３１】（図１）
９９  １〜多人数用４つ耳イヤフォン
１  接続端子
２  増幅器を含む回路装置
３  接続機器
４  ケーブル
５  イヤフォン
６  イヤフォン
７  イヤフォン
８  イヤフォン
９  本考案の１または別のイヤフォン接続端子
１０  音源を含むデヴァイス
（図２）
９９  １〜多人数用４つ耳イヤフォン
１  接続端子
２  増幅器を含む、デザイン性向上及び機能性向上の為、様々な形状を成す回路装置
３  接続機器
４’伸縮可能機能装置付きケーブルまたはリール式ケーブル
５’可変抵抗器、増幅器を回路に含む、電源スイッチまたは音量調整装置付き、及び番号、アクセサリー付随可、並びに４’と脱着可能な色分け可能イヤフォン
６’可変抵抗器、増幅器を回路に含む、電源スイッチまたは音量調整装置付き、及び番号、アクセサリー付随可、並びに４’と脱着可能な色分け可能イヤフォン
７’可変抵抗器、増幅器を回路に含む、電源スイッチまたは音量調整装置付き、及び番号、アクセサリー付随可、並びに４’と脱着可能な色分け可能イヤフォン
８’可変抵抗器、増幅器を回路に含む、電源スイッチまたは音量調整装置付き、及び番号、アクセサリー付随可、並びに４’と脱着可能な色分け可能イヤフォン
１１  角度可変機能装置
【手続補正２】
【補正対象書類名】実用新案登録請求の範囲
【補正対象項目名】全文
【補正方法】変更
【補正の内容】
【実用新案登録請求の範囲】
【請求項１】
音声を再生する装置に接続可能な接続端子を有する、３回線に分配可能な増幅器を含む装置からなり、３回線に配線された回線のうち２回線は、それぞれ直接ケーブルとして伸び、残りの１回線は本考案、並びに他の接続端子が接続可能な接続機器を持ち、２本のケーブルはそれぞれ２股に別れ末端には、イヤフォン装置が予め４つが付随する事を特徴とする、１〜多人数用４つ耳イヤフォン
【請求項２】
社会の様々なニーズに応じて回線は光回線に成り得る、ケーブルの接続部分は角度可変式となり、形状も用途に合わせ変化可能、ケーブル自体も１本、または２本が、それぞれ長さ調節可能、４つのイヤフォン部分に関しても取り外し可能、及びアクセサリー、電源スイッチ、ヴォリュームスイッチがそれぞれ付随可能、また色分け、番号等で機能を目で判別でき、１〜多人数用４つ耳イヤフォンを複数台同時使用する事により、より手軽に、簡単に多人数が同時使用可能になるなど、ニーズ・使用目的に合わせて機能を追加することができる１〜多人数用４つ耳イヤフォン
【手続補正書】
【提出日】平成24年5月1日(2012.5.1)
【手続補正１】
【補正対象書類名】実用新案登録請求の範囲
【補正対象項目名】全文
【補正方法】変更
【補正の内容】
【実用新案登録請求の範囲】
【請求項１】
音声を再生する装置に接続可能な接続端子を有する、３回線に分配可能な増幅器を含む装置からなり、３回線に配線された回線のうち２回線は、それぞれ直接ケーブルとして伸び、残りの１回線は、電気機器の接続端子が接続可能な接続機器を持ち、２本のケーブルは、それぞれ２股に別れ、末端にはイヤフォン装置が予め４つが付随する事を特徴とする、１〜多人数用４つ耳イヤフォン